(57)【要約】【課題】筋力トレーニングが難しい高齢者でも気軽に利用でき、かつ、総合的なバランス能力を向上させることが出来るバランス訓練用歩行面を提供する。【解決手段】  複数の可動面を有し、これら複数の可動面を、任意の一方向に傾斜可能な可動面６又は／及び面６における所定の位置を中心として傾斜方向が変化する可動面６で形成したバランス訓練用歩行面２を形成する。【選択図】図１
2007143758.tif 000002
【特許請求の範囲】
【請求項１】
複数の可動面を有し、これら複数の可動面を、任意の一方向に傾斜可能な可動面又は／及び面における所定の位置を中心として傾斜方向が変化する可動面で形成したことを特徴とするバランス訓練用歩行面。
【請求項２】
前記複数の可動面の上面形状は、複数の異なる大きさに形成されて、該複数の可動面が不規則に配設されていることを特徴とする請求項１記載のバランス訓練用歩行面。
【請求項３】
前記の複数の可動面の傾斜方向は、複数の異なる方向に設定され、該可動面が不規則に配設されていることを特徴とする請求項１又は２記載のバランス訓練用歩行面。
【請求項４】
前記可動面とは別に、傾斜しない固定面を有することを特徴とする請求項１乃至３のいずれかに記載のバランス訓練用歩行面。
【請求項５】
複数の可動面を有し、これら複数の可動面を、任意の一方向に傾斜可能な可動面又は／及び面における所定の位置を中心として傾斜方向が変化する可動面で形成したことを特徴とするバランス訓練用歩行具。
【請求項６】
前記の複数の可動面の傾斜方向は、複数の異なる方向に設定され、該可動面が不規則に配設されていることを特徴とする請求項５記載のバランス訓練用歩行具。
【請求項７】
手すりを設けたことを特徴とする請求項５又は６記載のバランス訓練用歩行具。
【発明の詳細な説明】
【技術分野】
【０００１】
本発明は、バランス訓練用歩行面とそれを用いたバランス訓練用歩行具に関するものである。
【背景技術】
【０００２】
従来、高齢者が健康増進のために使用できる運動施設や遊具として、特許文献１記載の健康増進遊具が提案されている。該健康増進遊具は、円形の歩行面が形成され、この歩行面における左右部を昇り降りできる階段に形成し、左右の階段の最上段を繋ぐ踊り場が形成されている。
【特許文献１】実登第３０７２８９４号公報
【発明の開示】
【発明が解決しようとする課題】
【０００３】
高齢者になるとバランス能力が低下し、転倒し易くなり、転倒により下肢等を骨折して入院すると、そのまま寝たきりの状態となってしまうことが少なくない。そのため、高齢者のバランス能力を向上させることにより、転倒し難くすることが望まれている。
【０００４】
現在、転倒の予防として、筋力トレーニングを主としたパワーリハビリというものが、老人医療、介護の分野では取り入れられている。しかし、転倒予防の訓練としては筋力トレーニングだけでは不充分であり、バランス能力向上の訓練も必要である。一方、筋力トレーニングが難しい高齢者に対し、どのような訓練を施してよいかが問題となっている。
【０００５】
特許文献１記載のような運動施設や遊具は、筋力トレーニングが難しい高齢者でも使用する事は出来るが、健康の増進を主目的としており、全身の総合的なバランス能力の向上という観点では効果が少ない。
【０００６】
そこで、本発明は、筋力トレーニングが難しい高齢者でも気軽に利用でき、かつ、総合的なバランス能力を向上させることが出来るバランス訓練用歩行面とそれを用いたバランス訓練用歩行具を提供することを目的とするものである。
【課題を解決するための手段】
【０００７】
前記の課題を解決するために、請求項１記載の発明は、複数の可動面を有し、任意の一方向に傾斜可能な可動面又は／及び面における所定の位置を中心として傾斜方向が変化する可動面で形成したことを特徴とするバランス訓練用歩行面である。
【０００８】
請求項２記載の発明は、請求項１記載のバランス訓練用歩行面において、前記複数の可動面の上面形状は、複数の異なる大きさに形成されて、該複数の可動面が不規則に配設されていることを特徴とするものである。
【０００９】
請求項３記載の発明は、請求項１又は２記載のバランス訓練用歩行面において、前記の複数の可動面の傾斜方向は、複数の異なる方向に設定され、該可動面が不規則に配設されていることを特徴とするものである。
【００１０】
請求項４記載の発明は、請求項１乃至３のいずれかに記載のバランス訓練用歩行面において、前記可動面とは別に、傾斜しない固定面を有することを特徴とするものである。
【００１１】
請求項５記載の発明は、複数の可動面を有し、これら複数の可動面を、任意の一方向に傾斜可能な可動面又は／及び面における所定の位置を中心として傾斜方向が変化する可動面で形成したことを特徴とするバランス訓練用歩行具である。
【００１２】
請求項６記載の発明は、請求項５記載のバランス訓練用歩行具において、前記の複数の可動面の傾斜方向は、複数の異なる方向に設定され、該可動面が不規則に配設されていることを特徴とするものである。
【００１３】
請求項７記載の発明は、請求項５又は６記載のバランス訓練用歩行具において、手すりを設けたことを特徴とするものである。
【発明の効果】
【００１４】
本発明によれば、バランス訓練用歩行面上を歩行した場合に、該歩行面を構成する各可動面の傾斜方向が異なることによって、足関節が内反したり、外反したり、底屈したり、背屈する。これにより、下腿三頭筋や足関節の内反、外反、底屈、背屈に関係する筋肉等をストレッチできる。
【００１５】
バランス訓練用歩行面の可動面上に足を乗せる際に、その足の位置や方向によって可動板の傾斜方向が異なり、大腿、下腿、足関節の角度や動きが、種々に変化する。このような、バランス訓練用歩行面上を歩行する訓練を行うことにより、水平でない面においても歩行できるようになり、バランス能力の向上を図ることが出来る。
【００１６】
バランス訓練用歩行面は、段差が少なく形成できるため、筋力トレーニングが難しい高齢者でも、安全に使用でき、かつ、高齢者への負担が少ないゆっくりとしたペースでバランス能力の向上を図ることが出来る。
【００１７】
請求項２又は３記載の発明によれば、更に、可動面の大きさが複数あり、該可動面が不規則に配置されていることにより、足を乗せるまで可動板の傾斜方向が予測できない。
【００１８】
このようなバランス訓練用歩行面上を歩行訓練することにより、予測できない外乱刺激が加わった場合においても、バランスを保持しようとしながら歩行できるようになり、日常生活における床面（地面）の状況変化に対応できるようになり、バランス能力の向上を図ることが出来る。
【００１９】
請求項５及び６記載の発明によれば、前記の効果を有するバランス訓練用歩行具を提供できる。
【００２０】
請求項７記載の発明によれば、更に、手すりが配設されていることにより、筋力トレーニングが難しい高齢者でも、手すりに掴まりながら歩行でき、躓いて転倒することが少なく、バランス訓練用歩行面の上を安全に歩行できる。
【発明を実施するための最良の形態】
【００２１】
本発明を実施するための最良の形態を図に示す実施例に基づいて説明する。
【実施例１】
【００２２】
図１乃至図１５は実施例１を示す。
図１は、本発明のバランス訓練用歩行具１の斜視図、図２は図１におけるバランス訓練用歩行面２の拡大斜視図、図５はバランス訓練用歩行具１の上面図である。
【００２３】
バランス訓練用歩行具１は、本体部３と、基準面Ｗとなる水平面４を有する第１構成部品５と、複数の可動面６を有する第２構成部品７と第３の構成部品９とで構成されている。
【００２４】
本体部３は、図１乃至図７に示すように構成されている。なお、本体部３は歩行路を形成するもので、一方向に所望の長さを有する長尺に形成され、使用者が、その長手方向のいずれか一方から入り、他方から出るようになっている。したがって、本体部３の前後方向は特定できないが、説明上、図１のＡ側を前側とし、Ｂ側を後側とする。
【００２５】
前記本体部３は木製で形成され、一対の側枠１０ａ、１０ｂを有し、該一対の側枠１０ａ、１０ｂ間の下部の前端には前棧１１が設けられ、後端には後棧１２が設けられている。また、前記一対の側枠１０ａ、１０ｂ間の下部で、前記前棧１１と後棧１２との間には、所定の間隔で中間棧１４が複数設けられている。前棧１１、後棧１２、中間棧１４は、ボルト１５により側枠１０ａ、１０ｂに固着されている。側枠１０ａ、１０ｂの長さは任意である。
【００２６】
側枠１０ａ、１０ｂの両外側には支柱１７、１７が所定の間隔で立設され、支柱１７、１７に側枠１０ａ、１０ｂがボルト１９により固着されている。側枠１０ａ、１０ｂ、の下面１０ｃ、１０ｄと地面との間には空間２１が設けられ、本実施例においては、側板１０ａ、１０ｂの下端１０ｃ、１０ｄと地面との間の距離Ｌ１は、５０ｍｍに設定されている。前記前棧１１、後棧１２、中間棧１４の下面と地面との間には脚２２が配設され、前棧１１、後棧１２、中間棧１４の下面と地面との間には空間２１が形成されている。
【００２７】
左右の支柱１７、１７の上部の内側で、かつ、最前端の支柱１７から最後端の支柱１７間に亘って、手すり２４、２４が略平行に設けられている。手すり２４、２４間の距離Ｌ２は、手すり２４と２４間の略中心に人が立った場合に、左右の手すり２４、２４に楽に両手が届く距離に設定され、本実施例においては５５４ｍｍに設定されている。
【００２８】
前記第１構成部品５は木製で、図８、図９に示すように、前枠３０と後枠３１を有し、前枠３０と後枠３１間に側板３２、３２が前後方向に配設され、側板３２、３２間の略中央に棧３３が前後方向に配設されている。側板３２、３２と棧３３は、前枠３０、後枠３１にボルト３５により固着されている。
【００２９】
前枠３０と後枠３１の横幅は、本体部３の側枠１０ａ、１０ｂ間の距離（内のり寸法）よりも若干狭く設定されている。また、第１構成部品５を、本体部３の側枠１０ａ、１０ｂ間で、かつ、前枠３０を本体部３の前棧１１の上面に載置した時に、後枠３１が本体部３の中間棧１４の上面に載置されるように設定されている。
【００３０】
前枠３０と後枠３１と側板３２、３２と棧３３の上面は、略同一平面に形成されている。前枠３０と後枠３１と側板３２、３２と棧３３の上面で、側板３２、３２間に亘って踏み板３６が所定の間隔で配設され、踏み板３６は、前枠３０と後枠３１と側板３２、３２と棧３３にボルト３７により固着されている。各踏み板３６の上面は略同一平面に配置されて水平面４を形成し、該水平面４が基準面Ｗを形成している。
【００３１】
前記第２構成部品７は木製で、図１０、図１１、図１２に示すように、前枠４０と後枠４１を有し、前枠４０と後枠４１間の両側部に側板４２、４２が前後方向に配設され、側板４２、４２間に棧４４、４４が前後方向に配設されている。該側板４２、４２と棧４４、４４は、前枠４０、後枠４１にボルト４５により固着されている。側板４２、４２と棧４４、４４の上面は略同一面となるように配置されている。
【００３２】
前枠４０と後枠４１の横幅は、前記第１構成部品５の前枠３０と後枠３１の横幅と略同等に設定されている。また、前棧４０と後棧４１は、前記中間棧１４の上面に配置するように設定されている。
【００３３】
側板４２、４２と棧４４、４４の上面には、図１０、図１１に示すように、固定板４６、可動面６を有する第１可動板４７と第２可動板４８と第３可動板４９が不規則に載置されている。
【００３４】
固定板４６は、図１２に示すように、踏み板５０と、踏み板５０の裏面に固着した脚５１、５１で構成されている。踏み板５０の上面形状は、図１１に示すように、歩行方向に長尺の長方形に形成され、その左右方向の長さは、側板４２と棧４４の間の幅よりも大きく設定されている。また、踏み板５０の前後方向の長さは、歩行者の足裏の大きさよりも大きく、歩幅よりも短い長さに設定され、本実施例１においては３００ｍｍに設定されている。また、踏み板５０の上面５０ａは、基準面Ｗと略同一面となるように形成されている。
【００３５】
脚５１、５１は、図１１、図１２に示すように、踏み板５０の前部と後部で、かつ、踏み板５０と前記側板４２及び棧４４との間で、かつ、左右方向に配設され、ボルト５３により側板４２及び棧４４に固着され、ボルト５２により踏み板５０に固着されている。
【００３６】
第１可動板４７は、踏み板５５と、該踏み板５５の裏面に固着した回動手段５６と付勢手段５７とストップ部材５８で構成されている。
【００３７】
踏み板５５の上面形状は、図１１に示すように、歩行方向に長尺の長方形に形成され、その左右方向の長さは、側板４２と棧４４の間の幅よりも大きく設定されている。また、踏み板５５の前後方向の長さは、歩行者の足裏の大きさよりも大きく、歩幅よりも短い長さに設定され、本実施例１においては４７７．５ｍｍに設定されている。また、踏み板５５の上面５５ａは、基準面Ｗと略同一面となるように形成されている。踏み板５５の上面５５ａが、可動面６を形成する。
【００３８】
回動手段５６は、図１２に示すように、踏み板５５の略中心に１個設けられ、図１３に示すように、下部材６０ａが棧４４の上面に固着されている。回動手段５６は、図１３（ｂ）に示すように、上部材６０がその下部に設けられた球状の回転軸６１を下部材６０ａに全方向回転可能に遊嵌し、下部材６０ａを中心として全方向に回動できるようになっている。上部６０は、踏み板５５の下面にボルト６２により固着されている。
【００３９】
付勢手段５７は、回動手段５６の近傍で、回動手段５６から等距離の４隅に４個配設されている。本実施例１において、付勢手段５７としてバネ部材を用いている。付勢手段５７は、上下に圧縮された状態で、その上部を踏み板５５の下面にボルト６４により固着され、その下部を棧４４の上面にボルト６５により固着されている。踏み板５５は、４個の付勢手段５７により上方に付勢されていることにより、踏み板５５の上面５５ａは、上面から荷重のかかっていない状態において、基準面Ｗ（水平面４）と略同一面となる。
【００４０】
ストップ部材５８は、踏み板５５の４隅で、かつ、側板４２及び棧４４の上面に位置するように４個配設され、踏み板５５の裏面にボルト６７により固設されている。ストップ部材５８は、弾性部材で形成され、本実施例１においては、ゴム材で形成されている。ストップ部材５８の裏面と、側板４２及び棧４４の上面との間には空間が形成されている。ストップ部材５８の裏面と、側板４２及び棧４４の上面との距離は、任意に設定するが、本実施例１においては、１１．３〜１３．５ｍｍに設定されている。
【００４１】
これにより、第１可動板４７は、上部から荷重が掛かると、回動手段５６を中心として、基準面Ｗから全方向に傾斜することができ、無荷重の状態に戻ると、付勢手段５７により、第１可動板４７の上面５５ａは基準面Ｗ（水平面４）と略同一面に戻る。また、上面５５ａに対する荷重の位置により、上面５５ａの傾斜方向が変化する。また、第１可動板４７が傾斜した際に、ストップ部材５８の裏面が、側板４２及び棧４４の上面に当接する。ストップ部材５８の裏面と側板４２及び棧４４の上面との距離が、１１．３〜１３．５ｍｍに設定されていることにより、第１可動板４７が傾斜した際のその傾斜側端と、水平状態における他の可動板４７、４８、４９や固定板４６との段差は、１１．３〜１３．５ｍｍとなる。また、第１可動板４７の最大傾斜角度は、３〜４°となるように設定されている。
【００４２】
第２可動板４８は、図１２に示すように、踏み板７０と、踏み板７０の裏面に固着した回動手段５６と付勢手段５７とストップ部材５８で構成されている。
【００４３】
踏み板７０の上面形状は、図１１に示すように、歩行方向に短尺の長方形に形成され、その左右方向の長さは、側板４２と棧４４の間の幅よりも大きく設定されている。また、踏み板７０の前後方向の長さは、歩行者の足裏の大きさよりも大きく、歩幅よりも短い長さに設定され、本実施例１においては３００ｍｍに設定されている。また、踏み板７０の上面７０ａは、基準面Ｗと略同一面となるように形成されている。踏み板７０の上面７０ａが、可動面６を形成する。
【００４４】
回動手段５６は、踏み板７０の左右方向の略中心で、かつ、踏み板７０の前部と後部に２個設けられ、棧４４の上面に固着されている。また、付勢手段５７は、踏み板７０の中央付近で、かつ、その中心から等距離の４隅に４個配設されている。ストップ部材５８は、踏み板７０の４隅で、かつ、側板４２及び棧４４の上面に位置するように４個配設されている。
【００４５】
これにより、第２可動板４８は、その左右方向の側部において上部から荷重が掛かると、前後の回動手段５６を中心として、基準面Ｗから左右方向（幅方向）の２方向に傾斜することができ、無荷重の状態に戻ると、付勢手段５７により、第２可動板４８の上面７０ａは基準面Ｗ（水平面４）と略同一面に戻る。
【００４６】
第２可動板４８が傾斜した際のその傾斜側端と、水平状態における他の可動板４７、４８、４９や固定板４６との段差は、１１．３〜１３．５ｍｍとなるように設定され、第２可動板４８の最大傾斜角度は、３〜４°となるように設定されている。
【００４７】
第３可動板４９は、図１２に示すように、踏み板７２と、該踏み板７２の裏面に固着した回動手段５６と付勢手段５７とストップ部材５８で構成されている。
【００４８】
踏み板７２の上面形状は、図１１に示すように、歩行方向に長尺の長方形に形成され、その左右方向の長さは、側板４２と棧４４の間の幅よりも大きく設定されている。また、踏み板７２の前後方向の長さは、歩行者の足裏の大きさよりも大きく、歩幅よりも短い長さに設定され、本実施例１においては４７７．５ｍｍに設定されている。また、踏み板７２の上面７２ａは、基準面Ｗと略同一面となるように形成されている。踏み板７２の上面７２ａが、可動面６を形成する。
【００４９】
回動手段５６は、踏み板７２の前後方向の略中心で、かつ、その左右方向に２個設けられ、棧４４の上面に固着されている。また、付勢手段５７は、踏み板７２の中央付近で、かつ、その中心から等距離の４隅に４個配設されている。ストップ部材５８は、踏み板７２の４隅で、かつ、側板４２及び棧４４の上面に位置するように４個配設されている。
【００５０】
これにより、第３可動板４９は、上部から荷重が掛かると、左右の回動手段５６を中心として、基準面Ｗから前後方向（歩行方向）の２方向に傾斜することができ、無荷重の状態に戻ると、付勢手段５７により、第３可動板４９の上面７２ａは基準面Ｗ（水平面４）と略同一面に戻る。
【００５１】
第３可動板４９が傾斜した際のその傾斜側端と、水平状態における他の可動板４７、４８、４９や固定板４６との段差は、１１．３〜１３．５ｍｍとなるように設定され、第３可動板４９の最大傾斜角度は、３〜４°となるように設定されている。
【００５２】
前記第３構成部品９は木製で、図１４、図１５に示すように、前枠８０と後枠８１を有し、前枠８０と後枠８１間の両側部に側板８２、８２が前後方向に配設され、側板８２、８２間に棧８４、８４が前後方向に配設されている。該側板８２、８２と棧８４、８４は、前枠８０、後枠８１にボルト８５により固着されている。側板８２、８２と棧８４、８４の上面は略同一面となるように配置されている。
【００５３】
前枠８０と後枠８１の横幅は、前記第１構成部品５の前枠３０と後枠３１の横幅と略同等に設定されている。また、前枠８０と後枠８１は、前記中間棧１４の上面に載置するように設定されている。
【００５４】
側板８２、８２と棧８４、８４の上面には、図１４、図１５に示すように、前記第２構成部品７と同様の固定板４６、第１可動板４７、第２可動板４８、第３可動板４９が不規則に載置され、前記第２構成部品７とはそれらの配置位置が異なる。
【００５５】
前記本体部３の前棧１１、後棧１２、横棧１４上部には、図３、図５に示すように、前側Ａ方向から順に第１構成部品５、第２構成部品７、第３の構成部品９、第１構成部品５が配設され、第１構成部品５、第２構成部品７、第３の構成部品９の前枠３０、４０、８０と後枠３１、４１、８１の両側部が、側枠１０ａ、１０ｂの内面にボルト９０により固着されている。
【００５６】
本願発明のバランス訓練用歩行具１は、上記の構造を有しているために、次のような作用、効果を奏する。
【００５７】
本願発明のバランス訓練用歩行具１は、公園等の屋外や室内で使用することが出来る。
バランス訓練用歩行面２の可動板４７、４８、４９が傾斜した際のその傾斜側端と、水平状態における他の可動板４７、４８、４９や固定板４６との段差は、１１．３〜１３．５ｍｍとなるように設定され、可動板４７、４８、４９の最大傾斜角度は、３〜４°となるように設定されている。これにより、バランス訓練用歩行面２上の段差は小さく、可動板４７、４８、４９の傾斜角度も緩やかで、かつ、左右に手すり２４、２４が配設されていることにより、筋力トレーニングが難しい高齢者でも、手すり２４に掴まりながら歩行でき、躓いて転倒することが少なく、バランス訓練用歩行面２の上を安全に歩行できる。
【００５８】
また、バランス訓練用歩行面２上を歩行すると、バランス訓練用歩行面２を構成する可動板４７、４８、４９が傾斜し、足関節が内側方向に傾斜、つまり、足の裏の外側方向が下側に、内側方向が上側となるように傾斜（内反）したり、足関節が外側方向に傾斜、つまり、足の裏の内側方向が下側に、外側方向が上側となるように傾斜（外反）したり、足関節が底屈（つま先が下がる）したり、背屈（つま先が下がる）したりする。
【００５９】
これにより、下腿三頭筋や足関節の内反、外反、底屈、背屈に関係する筋肉等をストレッチできる。
【００６０】
バランス訓練用歩行面２の可動板４７、４８、４９上に対する足を乗せる位置や方向によって、可動板４７、４８、４９の傾斜が変化することにより、大腿、下腿、足関節の角度や動きが、種々に変化する。このような、バランス訓練用歩行面２上で歩行訓練することにより、水平面でない面においても歩行できるようになり、バランス能力の向上を図ることが出来る。
【００６１】
また、可動板４７、４８、４９が、不規則に配置されていることにより、足を乗せるまで可動板４７、４８、４９の傾斜方向が予測できない。このような、バランス訓練用歩行面２上で歩行訓練することにより、予測できない外乱刺激が加わった場合においても、バランスを保持しようとしながら歩行できるようになり、日常生活における床面（地面）の状況変化に対応できるようになり、バランス能力の向上を図ることが出来る。
【００６２】
従って、本願発明のバランス訓練用歩行面２及びこれを用いたバランス訓練用歩行具１は、筋力トレーニングが難しい高齢者でも、安全に使用でき、かつ、高齢者への負担が少ないゆっくりとしたペースでバランス能力の向上を図ることが出来る。
【実施例２】
【００６３】
前記実施例１においては、第２構成部品７と第３の構成部品９に、固定板４６、第１可動板４７、第２可動板４８、第３可動板４９を、図１０、図１４に示すように載置したが、バランス訓練用歩行面２は、固定板４６、第１可動板４７、第２可動板４８、第３可動板４９が不規則に配列されていれば良く、任意に設定できる。
【００６４】
その他の部材については、前記実施例１と同様の構造を有するため、その説明を省略する。
【００６５】
また、本実施例２においても、前記実施例１と同様の作用、効果を奏する。
【実施例３】
【００６６】
前記実施例１、２においては、可動面６である第１可動板４７、第２可動板４８、第３可動板４９の傾斜方向を、全方向、前後の２方向、左右の２方向に傾斜するように形成したが、傾斜方向はこの３種類に限定するものではなく、可動面６は、少なくとも任意の一方向に傾斜できるように、又は所定の位置を中心として傾斜方向が変化するように形成されていればよく、例えば、前後左右のいずれか一方の端部を中心として一方向に傾斜できるように形成してもよいし、可動面６の略中央を中心として、前後左右の４方向等に傾斜できるように形成して、この可動面を複数設けてもよい。
【００６７】
その他の部材については、前記実施例１、２と同様の構造を有するため、その説明を省略する。
【００６８】
また、本実施例３においても、前記実施例１、２と同様の作用、効果を奏する。
【実施例４】
【００６９】
前記実施例１乃至３においては、可動面６である第１可動板４７、第２可動板４８、第３可動板４９の上面形状を長方形に形成したが、長方形に限定するものではなく、任意の形状に形成することが出来、例えば、正方形、三角形や六角形等の多角形、円形、楕円形等の任意の形状に形成できる。
【００７０】
その他の部材については、前記実施例１乃至３と同様の構造を有するため、その説明を省略する。
【００７１】
また、本実施例４においても、前記実施例１乃至３と同様の作用、効果を奏する。
【実施例５】
【００７２】
前記実施例１乃至４においては、バランス訓練用歩行面２を木製で形成したが、金属製の板材等を使用して形成してもよいし、樹脂等を使用してもよい。
【００７３】
その他の部材については、前記実施例１乃至４と同様の構造を有するため、その説明を省略する。
【００７４】
また、本実施例５においても、前記実施例１乃至４と同様の作用、効果を奏する。
【実施例６】
【００７５】
前記実施例１乃至５においては、バランス訓練用歩行面２を本体部３の前棧１１、後棧１２、横棧１４の上部に配設したが、地面に埋設しても良い。
【００７６】
その他の部材については、前記実施例１乃至５と同様の構造を有するため、その説明を省略する。
【００７７】
また、本実施例６においても、前記実施例１乃至５と同様の作用、効果を奏する。
【図面の簡単な説明】
【００７８】
【図１】本発明の実施例１を示すバランス訓練用歩行具の斜視図。
【図２】図１から支柱を取り除いた状態の斜視図。
【図３】本発明の実施例１を示すバランス訓練用歩行具から一方の側枠と支柱を取り除いた状態の側面図。
【図４】本発明の実施例１を示すバランス訓練用歩行具の正面図。
【図５】本発明の実施例１を示すバランス訓練用歩行具の上面図。
【図６】本発明の実施例１における本体部の斜視図。
【図７】本発明の実施例１における本体部を示すもので、（ａ）は上面図、（ｂ）は側面図、（ｃ）は正面図。
【図８】本発明の実施例１における第１構成部品の斜視図。
【図９】本発明の実施例１における第１構成部品を示すもので、（ａ）は上面図、（ｂ）は側面図、（ｃ）は正面図。
【図１０】本発明の実施例１における第２構成部品の斜視図。
【図１１】本発明の実施例１における第２構成部品を示すもので、（ａ）は上面図、（ｂ）は側面図、（ｃ）は正面図。
【図１２】本発明の実施例１における第２構成部品の固定板、第１可動板、第２可動板、第３可動板を下側からみた斜視図。
【図１３】本発明の実施例１における第１可動板に用いる回動手段を示すもので、（ａ）は上面図、（ｂ）は側面図、（ｃ）は斜視図。
【図１４】本発明の実施例１における第３構成部品の斜視図。
【図１５】本発明の実施例１における第３構成部品を示すもので、（ａ）は上面図、（ｂ）は側面図、（ｃ）は正面図。
【符号の説明】
【００７９】
１  バランス訓練用歩行具
２  バランス訓練用歩行面
６  可動面
２４  手すり
【図１】
2007143758.tif 000003
【図２】
2007143758.tif 000004
【図３】
2007143758.tif 000005
【図４】
2007143758.tif 000006
【図５】
2007143758.tif 000007
【図６】
2007143758.tif 000008
【図７】
2007143758.tif 000009
【図８】
2007143758.tif 000010
【図９】
2007143758.tif 000011
【図１０】
2007143758.tif 000012
【図１１】
2007143758.tif 000013
【図１２】
2007143758.tif 000014
【図１３】
2007143758.tif 000015
【図１４】
2007143758.tif 000016
【図１５】
2007143758.tif 000017